(57)【要約】【課題】光の三原色からなるＬＥＤを用いて、スポット的ではなく、広範囲を均質な白色光で照明でき、光の三原色を用いた２色合成色、単色等による照明も簡単に行え、またコンピュータと接続して色の組み合わせを含む照明パターン等をプログラムできることで学童、学生の理科及び技術教育に利用することができる照明装置の提供を課題とする。【解決手段】光の三原色からなるＬＥＤを用いた照明装置であって、赤色ＬＥＤ１１と緑色ＬＥＤ１２と青色ＬＥＤ１３との三原色の各光源を中心の周りに相互に等間隔で近接配置した光源部１０と、該光源部１０の前方に配置され、前記三原色の各光源からの放射光を受けて混合し前記光源部１０側へ反射させる第１の反射体２０と、前記光源部１０側に配置され、前記第１の反射体２０からの光を受けて混合し周囲に向けて拡散反射させる第２の反射体３０とを有する。【選択図】      図２
2009301860.tif 000002
【特許請求の範囲】
【請求項１】
光の三原色からなるＬＥＤを用いた照明装置であって、赤色ＬＥＤと緑色ＬＥＤと青色ＬＥＤとの三原色の各光源を中心の周りに相互に等間隔で近接配置した光源部と、該光源部の前方に配置され、前記三原色の各光源からの放射光を受けて混合し前記光源部側へ反射させる第１の反射体と、前記光源部側に配置され、前記第１の反射体からの光を受けて混合し周囲に向けて拡散反射させる第２の反射体とを有することを特徴とする照明装置。
【請求項２】
第１の反射体は平面体とし、反射面を鏡面若しくは銀色塗料を施した状態にしてあることを特徴とする請求項１に記載の照明装置。
【請求項３】
ＬＥＤからなる各光源は光源部に形成した各配置孔に配置し、これによって各光源からの光放射角度を前方方向の一定角度範囲に絞ることで、各光源からの放射光のほぼ全量を第１の反射体に入光させるようにしたことを特徴とする請求項１又は２に記載の照明装置。
【請求項４】
第２の反射体は、光源部とその周囲を含む領域を球面とする球面状反射体として構成してあることを特徴する請求項１〜３の何れかに記載の照明装置。
【請求項５】
三原色のＬＥＤの周囲に白色ＬＥＤを配置してあることを特徴とする請求項１〜４の何れかに記載の照明装置。
【請求項６】
各ＬＥＤを点灯、消灯させる内蔵のコントローラに対して、前記点灯と消灯のプログラムを提供するためのコンピュータを別体として外部から接続自在としてあることを特徴とする請求項１〜５の何れかに記載の照明装置。
【発明の詳細な説明】
【技術分野】
【０００１】
本発明は光の三原色からなるＬＥＤを用いた照明装置に関する。
【背景技術】
【０００２】
白色光源を用いた従来の一般的な照明装置の例を図８に示す。従来の一般的な照明装置では、白色光源Ａから放射された光が、周囲にあるセードＢを通して均質な光として外部に放出されるようにするため、光源Ａに対向する位置に拡散用反射板Ｃを設けたものが多い。これによって光源Ａからの光と拡散用反射板Ｃで反射された光とで、セードＢ全体に均質な光を透過させるようにしている。前記拡散用反射板Ｃは、例えば光の拡散に適したものとして、光源Ａ側に頂点をもつ円錐形状のものが用いられる。
しかし、このような拡散用反射板Ｃを光源Ａに対向する位置に配置した照明装置において、図９に示すような三原色からなるＬＥＤ（ａ、ｂ、ｃ）を光源として配置した場合は、赤色ＬＥＤ（ａ）と緑色ＬＥＤ（ｂ）と青色ＬＥＤ（ｃ）の各ＬＥＤの位置が一点に集中しているわけではないので、そのままでは、均質な白色光をセードＢの周りから外部に放出することが容易ではない。即ちセードＢの位置によって、光の色が赤味を帯びたり、緑味を帯びたり、青味を帯びたりして、色のずれが生じる問題があった。
【０００３】
一方、実開平５−１５９８号公報には、自動車用ルームライトとして、光の三原色である赤色、緑色、青色のＬＥＤを用いたものが提供されている。
また特開平１０−３０２５１４号公報には、照明灯及び照明装置として、光の三原色である赤色、緑色、青色のＬＥＤを用いたものが提供されている。この照明装置では、三原色の光を強弱をつけて発光させることができるようにした構成も開示されている。
また特開平１１−３２１４５５号公報には、車内照明装置として、光の三原色を用いたＬＥＤからなるものが提供されている。この照明装置で車内を所望の色で照明することができる。
【特許文献１】実開平５−１５９８号公報
【特許文献２】特開平１０−３０２５１４号公報
【特許文献３】特開平１１−３２１４５５号公報
【発明の開示】
【発明が解決しようとする課題】
【０００４】
しかしながら上記特許文献１の発明は、三原色のＬＥＤを集光する方向に向けて配置するものであるから、前方の比較的狭い範囲をスポット的に白色光で照明することができるが、それ以外の周囲の方向には照明が不十分となる問題がある。
また上記特許文献２の発明の場合も同様に、三原色のＬＥＤを前方に向けて放射するものであるから、前方の比較的狭い範囲についてはスポット的に白色光で照明できるが、それ以外の方向には照明が不十分となる。
また上記特許文献３の発明は、むしろ多彩な色相の光を発光することを目的として構成されたものであり、三原色からなるＬＥＤを用いて広範囲を白色光で照明することを目的とするものではない。
【０００５】
そこで本発明は上記従来の問題点を解決し、光の三原色からなるＬＥＤを用いて、スポット的ではなく、広範囲を均質な白色光で照明することができる照明装置の提供を主たる課題とする。また白色以外の他の色についても、均質な状態で周囲に照明することができる照明装置の提供を課題とする。また光の三原色を用いた白色及び２色合成色、単色等による照明も簡単に行うことができると共に、コンピュータと接続することで色の組み合わせを含む照明パターン等をプログラムすることができ、よって学童、学生の理科及び技術教育にも利用することができる照明装置の提供を課題とする。
【課題を解決するための手段】
【０００６】
上記課題を達成するため本発明の照明装置は、光の三原色からなるＬＥＤを用いた照明装置であって、赤色ＬＥＤと緑色ＬＥＤと青色ＬＥＤとの三原色の各光源を中心の周りに相互に等間隔で近接配置した光源部と、該光源部の前方に配置され、前記三原色の各光源からの放射光を受けて混合し前記光源部側へ反射させる第１の反射体と、前記光源部側に配置され、前記第１の反射体からの光を受けて混合し周囲に向けて拡散反射させる第２の反射体とを有することを第１の特徴としている。
また本発明の照明装置は、上記第１の特徴に加えて、第１の反射体は平面体とし、反射面を鏡面若しくは銀色塗料を施した状態にしてあることを第２の特徴としている。
また本発明の照明装置は、上記第１又は第２の特徴に加えて、ＬＥＤからなる各光源は光源部に形成した各配置孔に配置し、これによって各光源からの光放射角度を前方方向の一定角度範囲に絞ることで、各光源からの放射光のほぼ全量を第１の反射体に入光させるようにしたことを第３の特徴としている。
また本発明の照明装置は、上記第１〜第３の何れかの特徴に加えて、第２の反射体は、光源部とその周囲を含む領域を球面とする球面状反射体として構成してあることを第４の特徴としている。
また本発明の照明装置は、上記第１〜第４の何れかの特徴に加えて、三原色のＬＥＤの周囲に白色ＬＥＤを配置してあることを第５の特徴としている。
また本発明の照明装置は、上記第１〜第５の何れかの特徴に加えて、各ＬＥＤを点灯、消灯させる内蔵のコントローラに対して、前記点灯と消灯のプログラムを提供するためのコンピュータを別体として外部から接続自在としてあることを第６の特徴としている。
【発明の効果】
【０００７】
請求項１に記載の照明装置によれば、光源部に配置された三原色の各光源から放射された光は、前方の第１の反射体によって受けられ、相互に混合されて、元の光源部側に一旦反射される。第１の反射体で反射された光は光源部側に配置された第２の反射体によって受けられ、更に混合されて、周囲に向けて拡散反射される。
光源部の中心の周りに相互に等間隔で近接配置された赤色ＬＥＤ、緑色ＬＥＤ、青色ＬＥＤのからの各放射光は、前方にある第１の反射体と光源部側にある第２の反射体とによって、２回の反射を繰り返すことで、相互の混合を深め、均質な混色光となって、周囲に向けて拡散される。
請求項１に記載の照明装置によれば、赤色ＬＥＤと緑色ＬＥＤと青色ＬＥＤを中心の周りに相互に等間隔で近接配置すると共に、第１、第２の反射体による２回の反射を行わせることによって、三原色の各ＬＥＤからの光を十分均質に混合して照明に供することが可能となると共に、混合された光を十分広範囲に拡散して照明に供することが可能となる。即ち、相互に等間隔で近接配置された各ＬＥＤからの赤色、緑色、青色の放射光は、それ自体が相互に重なり合う割合が高いが、第１の反射体を光源部の前方におくことで、光源部からの赤色、緑色、青色の各放射光の重なり合う領域の大部分を第１の反射体で受けることが可能となり、それらの混合を第１の反射体で促進させることができる。そして第１の反射体で反射されて光源部側に跳ね返されてくる光を第２の反射体で受けることによって、光の混合を更に進めて、全体として均質な混合光とし、これを周囲に向けて反射させることができる。また光の混合を促進するために赤色、緑色、青色の各ＬＥＤを相互に近接配置することで、光の重なり範囲が前方方向の狭い角度範囲に限られるようにした場合であっても、第１、第２の反射体を経るようにしたことで、光源からセード等の被照射体に至るまでの光の走行距離を実際の空間距離よりも十分に長くすることが可能となり、２回の反射を経て混合光を十分に広く拡散させることが可能となる。即ちスポット的な照明ではなく、より周囲に拡散した広い範囲の照明を行うことができる。
勿論、光の三原色を用いた白色照明のほか、三原色のうちの任意の２色による合成色照明、単色照明も簡単に行うことも可能である。
【０００８】
また請求項２に記載の照明装置によれば、上記請求項１に記載の構成による効果に加えて、第１の反射体は平面体とし、反射面を鏡面若しくは銀色塗料を塗布した状態としてあるので、
平面体からなる第１の反射体によって、入射した光を拡散反射させることなく、光混合を促進させることができると共に、入射した光の大部分を第２の反射体側に導光することができる。また反射面を鏡面若しくは銀色塗料を施した状態にしているので、光の反射ロスを少なくして、第２の反射体へ確実に導光することができる。
【０００９】
また請求項３に記載の照明装置によれば、上記請求項１又は２に記載の構成による効果に加えて、ＬＥＤからなる各光源は光源部に形成した各配置孔に配置し、これによって各光源からの光放射角度を前方方向の一定角度範囲に絞ることで、各光源からの放射光のほぼ全量を第１の反射体に入光させるようにしたので、
比較的小さい面積の第１の反射体を用いて、光源部からの赤、緑、青の各光を受けることができる。よって、第１の反射体が最終的な照明光の邪魔にならないようにすることができる。一方、光源からの放射光のほぼ全量を第１の反射体で受けることができるので、赤、緑、青の個別の光による直接的な照明が偏ってなされるのを無くして、それら各光源からの光を十分に受けて混合を促進することができる。ほぼ全量とは、全量、及び第１の反射体を外れる放射光による色のムラが目立たない範囲の量を言うものとする。
また光源部の各光源からの光放射角度を前方方向の一定角度範囲に絞ることにより、赤、緑、青の各三原色の光のほぼ全量を前方方向に配置された第１の反射体によって受けることができ、混合を促進させることができる。混合に関しては、第１の反射体に入る赤、緑、青の各光の入射角が何れも近い値となり、各光の混合を一層良好に行える。
【００１０】
また請求項４に記載の照明装置によれば、上記請求項１〜３に記載の構成による効果に加えて、第２の反射体は、光源部とその周囲を含む領域を球面とする球面状反射体として構成してあるので、
第１の反射体から反射されてきた光を球面で受けて、混合を進めながら周囲の広範な範囲に均一に拡散反射させることができ、スポット照明ではなく、広範な照明範囲を確保することができる。またこの第２の反射体は、光源部から出て前方の第１の反射体で反射された光を光源を中心としたその周囲を含む領域で受けることができるので、光源部を中心とした周囲への偏りのない均一な反射を確保することができる。
【００１１】
また請求項５に記載の照明装置によれば、上記請求項１〜４に記載の構成による効果に加えて、三原色のＬＥＤの周囲に白色ＬＥＤを配置してあるので、
三原色のＬＥＤを用いた放射光による照明に、白色ＬＥＤを用いた白色放射光を加えることができる。よって全体としての照明の明るさを白色ＬＥＤにより増加させることができる。勿論、三原色のＬＥＤだけを用いた照明を行い、或いは白色ＬＥＤだけの照明を行うことも可能となる。
【００１２】
また請求項６に記載の照明装置によれば、上記請求項１〜５に記載の構成による効果に加えて、各ＬＥＤを点灯、消灯させる内蔵のコントローラに対して、前記点灯と消灯のプログラムを提供するためのコンピュータを別体として外部から接続自在としてあるので、
コンピュータを接続して、各ＬＥＤを点灯、消灯させる所望のプログラムを内蔵のコントローラに設定することができる。これにより設定したプログラムに基づいた、光の三原色を含む各ＬＥＤの点灯、消灯による所望の照明を行うことができる。
またコンピュータと接続することで色の組み合わせを含む照明パターン等を自由にプログラムすることが可能となり、よって光の三原色を用いた、光の性質、各合成色の理解を促すための教材、或いはコンピュータによる簡単なプログラム作成を伴う理科教育にも利用することができる。
【発明を実施するための最良の形態】
【００１３】
以下の図面を参照して、本発明の照明装置の実施形態について説明する。
図１は本発明の第１の実施形態の照明装置の全体概略図、図２は第１の実施形態の照明装置の要部を示す図で、（Ａ）は要部の平面図、（Ｂ）は要部の一部断面正面図である。図３は照明装置の光源部の平面図、図４は照明装置の光源部と反射体との間での光の反射を説明する図、図５は照明装置の制御系を説明する図である。
【００１４】
図１を参照して、本発明の第１の実施形態の照明装置は、スタンド１とセード２とを有している。セード２はドーム状に構成されており、スタンド１の上方位置に図示しない支柱等により位置付けられている。
【００１５】
図２、図３も参照して、前記スタンド１の上部には光源部１０が設けられている。該光源部１０には、赤色光源である赤色ＬＥＤ１１と、緑色光源である緑色ＬＥＤ１２と、青色光源である青色ＬＥＤ１３が配置され、また白色ＬＥＤ１４が配置されている。
前記光源部１０の前方（光が進む方向）には第１の反射体２０が設けられている。
更に前記第１の反射体２０で反射された光を受ける第２の反射体３０が、前記光源部１０側に設けられている。
前記赤色ＬＥＤ１１、緑色ＬＥＤ１２、青色ＬＥＤ１３、白色ＬＥＤ１４は高輝度ＬＥＤや超高輝度ＬＥＤを用いることができる。
【００１６】
前記光源部１０に配置される赤色ＬＥＤ１１と緑色ＬＥＤ１２と青色ＬＥＤ１３は、光の三原色を構成するものである。この赤色ＬＥＤ１１と緑色ＬＥＤ１２と青色ＬＥＤ１３は、光源部１０の中心の周りに相互に等間隔で近接配置される。本実施形態では、具体的には、赤色ＬＥＤ１１と緑色ＬＥＤ１２と青色ＬＥＤ１３とは、中心の周りに相互に略１２０度の回転位置に配置される。
また本実施形態の場合は、赤色ＬＥＤ１１、緑色ＬＥＤ１２、青色ＬＥＤ１３をそれぞれ２本ずつ配置するようにしているので、赤色ＬＥＤ１１同士、緑色ＬＥＤ１２同士、青色ＬＥＤ１３同士のそれぞれについては、中心の周りに１８０度の回転位置に別れて配置されるようにしている。勿論、赤色ＬＥＤ１１、緑色ＬＥＤ１２、青色ＬＥＤ１３は、３本以上の等本数で用いるようにしてもよい。
一方、白色ＬＥＤ１４は、複数本を前記赤色ＬＥＤ１１、緑色ＬＥＤ１２、青色ＬＥＤ１３が配置される位置の外側に、光源部１０の中心として均等配置されている。
【００１７】
前記光の三原色を構成する赤色ＬＥＤ１１、緑色ＬＥＤ１２、青色ＬＥＤ１３は、光源部１０に設けた配置孔１０ａ（図４参照）にその一部を埋設して配置するようにし、これによって各ＬＥＤ１１、１２、１３からの光放射角度が、前方方向の一定角度範囲に絞られるようにしている。各ＬＥＤ１１、１２、１３の向きは相互に同方向に略平行に配置することになるが、少し内向きにすること、場合によっては、三原色の放射光の重なり割合が低くならない範囲で少し外向きにすることも可能である。
既述したように、赤色ＬＥＤ１１と緑色ＬＥＤ１２と青色ＬＥＤ１３とは相互に等間隔で近接配置する構成としているが、これは赤色ＬＥＤ１１、緑色ＬＥＤ１２、青色ＬＥＤ１３の各ＬＥＤから放出される光が相互に重なり合う割合を多くするためである。
赤色ＬＥＤ１１、緑色ＬＥＤ１２、青色ＬＥＤ１３の各ＬＥＤからの放射光の放射角度を一定角度範囲に絞ると共に、赤色、緑色、青色の各ＬＥＤ１１、１２、１３からの放射光の重なり合う割合を多くすることで、これら赤色ＬＥＤ１１、緑色ＬＥＤ１２、青色ＬＥＤ１３から放射された光を、比較的狭い面積の反射体（第１の反射体２０）で受けることが可能となり、且つ赤色、緑色、青色の相互の光の混合を促進することが可能となる。
【００１８】
前記第１の反射体２０は、セード２の内側に設けられ、光源部１０の赤色ＬＥＤ１１、緑色ＬＥＤ１２、青色ＬＥＤ１３からの光を受けるようにしている。第１の反射体２０の大きさは、光源部１０の赤色ＬＥＤ１１、緑色ＬＥＤ１２、青色ＬＥＤ１３からの各光の全量を受けることができる大きさとするのが好ましい。この場合、光源部１０の赤色ＬＥＤ１１、緑色ＬＥＤ１２、青色ＬＥＤ１３の各光源（ＬＥＤ１１、１２、１３）を相互に近接配置すると共に、各光源（ＬＥＤ１１、１２、１３）からの各光の放射角度を絞ることで、比較的狭い面積の第１の反射体２０を採用することが可能となり、且つ偏光による照明不良が生じないようにすることが可能となる。前記第１の反射体２０が光源部１０の赤色ＬＥＤ１１、緑色ＬＥＤ１２、青色ＬＥＤ１３からの光の全量を受けない場合は、それら赤色ＬＥＤ１１、緑色ＬＥＤ１２、青色ＬＥＤ１３からの赤色光、緑色光、青色光の一部がそのまま偏光して外方を照明することになる。
【００１９】
第１の反射体２０は平面体とし、反射面（図面上は下面）を鏡面若しくは銀色塗料を施した状態にしている。
第１の反射体２０を平面体とすることで、光源部１０の赤色ＬＥＤ１１、緑色ＬＥＤ１２、青色ＬＥＤ１３から受け入れた光の混合を促進することができる。即ち、第１の反射体２０を平面体とすることで、第１の反射体２０の反射面を光源部１０の赤色、緑色、青色の各ＬＥＤ１１、１２、１３の軸芯に対して直角に配置することが可能となり、各ＬＥＤ１１、１２、１３からの赤色、緑色、青色の光をほぼ同等に遮ることなく受けることができる。また入射光と反射光間の角度を小さく維持することができることから、光の混合を促進することが可能となる。勿論、第１の反射体２０は凹面体とすることで、光の混合が促進されるが、この場合には、その後における光の拡散が容易でなく、スポット照明的になるので、必ずしも好ましいとは言えない。
第１の反射体２０の反射面を鏡面若しくは銀色塗料を施した状態にすることで、反射面での光の吸収を抑制し、反射ロスを少なくすることができる。鏡面から銀色になるにつれて、光の混合がよくなるが、反射光量がその分低下することになる。よって鏡面の程度、銀色塗料の施し具合については、光の混合具合と反射光量を勘案して、適当な鏡面程度、銀色塗料施し程度を採用することになる。
【００２０】
前記第２の反射体３０は、前記各ＬＥＤ１１〜１４が設けられた光源部１０とその周囲を含む領域の表面を球面とした球面状反射体として構成されている。即ち、スタンド１の上部を半球状若しくは半球未満の球面とすることで、第２の反射体３０としている。但し、ここで球面は一定の曲率半径をもつ完全な球面（真球面）に限定されるものではない。第１の反射体２０からの光をセード２（被照射体）の方向に万遍無く拡散して反射させることができるようにした球面状（真球面、曲率半径は連続的に変化するような擬似球面を含む）の形状を意味するものとする。
この第２の反射体３０についても、その反射面を鏡面若しくは銀色塗料を施した状態にしてある。
前記各ＬＥＤ１１〜１４の配置される各配置孔１０ａの間の表面も第２の反射体３０となっている。
【００２１】
上記赤色ＬＥＤ１１、緑色ＬＥＤ１２、青色ＬＥＤ１３の配置の外側に配置される白色ＬＥＤ１４は、照明の光量を増すための役割を果たす。白色ＬＥＤ１４は光源部１０の中心の周りに均等配置され、均等な照明ができるようにしている。
白色ＬＥＤ１４からの光は、必ずしも第１の反射体２０や第２反射体３０に反射される必要はない。このため、直接的にセード２に向けて放射されるように、個々の白色ＬＥＤ１４のそれぞれの姿勢を多少外向きに傾いて配置するようにしてもよい。
【００２２】
図４を参照して、光源部１０から放射された三原色の光による反射、混合の要領を説明する。
今、光源部１０の中心付近の周りに相互に等間隔で近接配置された赤色ＬＥＤ１１、緑色ＬＥＤ１２、青色ＬＥＤ１３の各スイッチがオンされると、それら三原色のＬＥＤ１１〜１３から光が放射される。照射された各光は、それぞれ前方方向に一定角度範囲で拡がりながら進み、それらのほぼ全量が第１の反射体２０に入射される。このとき、第１の反射体２０に入射する三原色の各光には相互に重なり合わない部分が生じるが、大きく重なり合わないような部分が生じないようにしているので、第１の反射体２０に入射された各光が反射される際に生じる乱反射によって、それら反射光の混合が促進される。
第１の反射体２０は平面体であるので、乱反射はあるにせよ、該第１の反射体２０で反射する光の反射角は比較的小さく、第１の反射体２０へ入ってきた光源１０からの光の大部分を元の光源部１０側へ向けて反射させる。
光源部１０側には第２の反射体３０が配置されているので、前記第１の反射体２０から光源部１０側に反射された光は第２の反射体２０でその大部分が受けられ、反射される。この際、第２の反射体３０は球面状反射体として構成されているので、第２の反射体３０で反射される光は大きく周囲に拡散され、セード２に向かう。
第２の反射体３０もまた鏡面体若しくは銀色塗料を施したものとすることで、乱反射による光の混合と反射光量との加減を調整することが可能となり、三原色の良好な混合を果たしながら、光量低下を少なくする要請を満足させることが可能となる。
【００２３】
第２の反射体３０で拡散反射され、セード２に入った光は、適当に屈折しながらセード２の外に出て外部を照明する。勿論、このセード２においても光の混合はなされる。
【００２４】
光源部１０に配置された赤色ＬＥＤ１１、緑色ＬＥＤ１２、青色ＬＥＤ１３からの各放射光を、どのように相互に混合させ、また反射させてセード２に導くかは、光源部１０に置かれる三原色の各ＬＥＤ１１、１２、１３の配置面積、放射角度、第１の反射体２０までの距離、第１の反射体２０の面積、第１の反射体２０から第２の反射体３０までの距離、第２の反射体３０の球面の面積、曲率半径によって変更させることができる。
【００２５】
また上記においては、赤色ＬＥＤ１１、緑色ＬＥＤ１２、青色ＬＥＤ１３の三原色を放射させて、白光色を得て照明を行う場合を説明した。しかし、赤色、緑色、青色の何れか２色を２色のＬＥＤを用いて、その混合と反射を行い、照明を行うこともできる。この場合においても、上記本発明の構成により二色の光の混合を良好に行って、照明を行うことができる。その他、赤色、緑色、青色の何れか１種類のＬＥＤを用いて照明を行うこともできる。
また三原色のＬＥＤ１１、１２、１３の何れか１つ以上を用いて照明を行う場合に、白色ＬＥＤ１４による光を加えて、照明を行うようにすることができる。
【００２６】
図５を参照して、本発明の照明装置の第１の実施形態に用いられる制御系を説明する。
装置のスタンド１内にコントローラ４０、インターフェイス４１、照明回路４２が内蔵され、外部のコンピュータ５０と接続自在とされる。
前記コントローラ５０には、各赤色ＬＥＤ１１、緑色ＬＥＤ１２、青色ＬＥＤ１３、及び白色ＬＥＤ１４を用いた照明を行うための照明プログラムが内蔵される。この照明プログラムは、例えば赤色ＬＥＤ１１と緑色ＬＥＤ１２と青色ＬＥＤ１３の三原色を定常的に点灯させて照明させるプログラム、何れか２色のＬＥＤを用いて定常的に点灯させて照明させるプログラム、三原色のうちの２色を次々と変更して点灯させるプログラム、その他、赤色ＬＥＤ１１と緑色ＬＥＤ１２、青色ＬＥＤ１３、白色ＬＥＤ１４を用いて、これらを種々のタイミングで同時又は別々に点灯、消灯を行うことによる光のイルミネーションを行うプログラム等、種々の点灯のさせ方を予め内蔵させておくことができる。
特に学校教材としては、光の三原色の同時点灯による白色照明プログラム、光の三原色のうちの２色を用いた照明プログラム、１色による照明プログラム、を用いることで、光の三原色の性質を実体験させることができる。このような教材用の照明装置としては、単に照明ができるだけではなく、光の三原色からなる光源を用いていること、且つそれらの三原色の混合による均質な白色照明、各２色による均質な混合色、１色での照明のそれぞれができることが必要である。
【００２７】
本発明の照明装置は、外部のコンピュータ５０と接続自在とされる。外部のコンピュータ５０は、例えば市販されているパーソナルコンピュータとすることができる。このコンピュータ５０に対して、前記コントローラ４０に内蔵させる照明プログラムを作成するためのソフトウエアをインストールすることで、種々の照明プログラムをコンピュータで作成することができる。この照明プログラムを学生が作り、作成した照明プログラムに基づく照明を行うことで、プログラム作成と光の三原色の性質とについての実践的な教育効果が期待される。
【００２８】
図６は本発明の第２の実施形態を示す全体構成図、図７は第２の実施形態の照明装置の要部を示す図で、（Ａ）は要部の平面図、（Ｂ）は要部の正面図である。
この第２の実施形態の照明装置では、セード３が和風の行灯風に構成されたものである。しかし他の実質的な構成は、上記第１の実施形態の場合と同様である。第２の実施形態において第１の実施形態と同一乃至同一機能を果たす部材には、同一の符号を付して説明を省略する。
【図面の簡単な説明】
【００２９】
【図１】本発明の第１の実施形態の照明装置の全体概略図である。
【図２】第１の実施形態の照明装置の要部を示す図で、（Ａ）は要部の平面図、（Ｂ）は要部の一部断面正面図である。
【図３】照明装置の光源部の平面図である。
【図４】照明装置の光源部と反射体との間での光の反射を説明する図である。
【図５】照明装置の制御系を説明する図である。
【図６】本発明の第２の実施例の照明装置の全体概略図である。
【図７】第２の実施形態の照明装置の要部を示す図で、（Ａ）は要部の平面図、（Ｂ）は要部の正面図である。
【図８】従来の照明装置の一例を示す断面構成図である。
【図９】従来の照明装置に三原色のＬＥＤを光源として採用した場合の例を示す断面構成図である。
【符号の説明】
【００３０】
１    スタンド
２    セード
３    セード
１０    光源部
１０ａ  配置孔
１１    赤色ＬＥＤ
１２    緑色ＬＥＤ
１３    青色ＬＥＤ
２０    第１の反射体
３０    第２の反射体
４０    コントローラ
４１    インターフェイス
４２    照明回路
５０    コンピュータ
【図１】
2009301860.tif 000003
【図２】
2009301860.tif 000004
【図３】
2009301860.tif 000005
【図４】
2009301860.tif 000006
【図５】
2009301860.tif 000007
【図６】
2009301860.tif 000008
【図７】
2009301860.tif 000009
【図８】
2009301860.tif 000010
【図９】
2009301860.tif 000011